(57)【要約】【課題】  ＲＦＩＤラベルが、貼付対象物の材質や内容物の影響を受けて電磁波が吸収され、通信距離が短くならないように、貼付対象物から所定距離だけ離して取り付けられるＲＦＩＤラベルの形状および貼付方法の提供。【解決手段】  血液バッグ２３に貼り付けるときに、貼付部１３を折り返し、ＩＣタグ４保持部１４および印字記録部を向かい合わせに折曲げて貼り合わせ、各貼付部１３が開いた略Ｔ字型に形成し、血液バッグ２３の表面からＩＣタグ保持部１４が立ち上がるように貼付する。【選択図】        図３
2006277524.tif 000002
【特許請求の範囲】
【請求項１】
データを記憶するＩＣチップと当該データを電磁波を用いて非接触で送受信するアンテナとが回路基板上に形成されたＩＣタグと、裏面に粘着剤が塗布され、両端が貼付対象物への貼付部、中央が前記ＩＣタグを貼り付けて保持するＩＣタグ保持部およびそれに隣接する印字記録部となった帯状のラベル基材と、前記ラベル基材の各貼付部、ＩＣタグ保持部および印字記録部の境界に形成した折り曲げ部と、前記ラベル基材の裏面に仮着され、粘着剤の塗布面を保護するのと共に、貼付対象物に貼り付けるときに剥離する剥離紙とからなり、貼付対象物に貼付する際には、前記各貼付部をラベル基材の表側に折り返し、ＩＣタグ保持部および印字記録部を向かい合わせに折曲げて貼り合わせ、各貼付部が開いた略Ｔ字型に形成し、貼付対象物の表面からＩＣタグ保持部が立ち上がるように貼付することを特徴とするＲＦＩＤラベル。
【請求項２】
前記折り曲げ部は、ラベル基材に印刷した折り曲げ線、ラベル基材に穿設したミシン目、部分的にラベル基材の幅を狭く加工した狭幅部のいずれか一つまたはこれらの組み合わせからなる、請求項１に記載のＲＦＩＤラベル。
【請求項３】
前記剥離紙には、ラベル基材の少なくとも一つの折り曲げ部に一致させてまたは近傍にミシン目またはスリット（切れ目）を形成した、請求項１に記載のＲＦＩＤラベル。
【請求項４】
データを記憶するＩＣチップと当該データを電磁波を用いて非接触で送受信するアンテナとが回路基板上に形成されたＩＣタグと、裏面に粘着剤が塗布され、両端が貼付対象物への貼付部、中央が前記ＩＣタグを貼り付けて保持するＩＣタグ保持部およびそれに隣接する印字記録部となった帯状のラベル基材と、前記ラベル基材の各貼付部、ＩＣタグ保持部および印字記録部の境界に形成した折り曲げ部と、前記ラベル基材の裏面に仮着され、粘着剤の塗布面を保護するのと共に、貼付対象物に貼り付けるときに剥離する剥離紙とからなるＲＦＩＤラベルを、前記各貼付部をラベル基材の表側に折り返し、ＩＣタグ保持部および印字記録部を向かい合わせに折曲げて貼り合わせ、各貼付部が開いた略Ｔ字型に形成する工程、および、前記ＲＦＩＤラベルを、貼付対象物の表面からＩＣタグ保持部が立ち上がるように貼付すること、または、液体の充填されたビンの液面より上の細首部に貼付または巻き付け貼付すること、または、袋状や箱状の容器の縁に各貼付部が跨るように貼付すること、のいずれかであるＲＦＩＤラベルの貼付方法。
【発明の詳細な説明】
【技術分野】
【０００１】
本発明は、データの読み書きに電磁波を利用したＲＦＩＤラベルおよびその貼付方法に関する。
【背景技術】
【０００２】
近年、無線を使ってＩＣチップの読み書きを行う技術であるＲＦＩＤ（Radio Frequency ID）の開発が盛んになされている。
【０００３】
図１４にその動作原理を示す。
【０００４】
ＲＦＩＤ５はＩＣチップ１とアンテナ２が内蔵された薄いフィルム３からなるＩＣタグ４（インレットと呼ばれる）を、ラベル（シール）やプラスチックのカード、下げ札に加工し、管理したい物に貼り付けたり、吊り下げて使うようになっている。
ＩＣタグ４の主要部をなすＩＣチップ１には、コイル状のアンテナ２が繋がっており、このアンテナ２に、リーダーライター６からの電磁波が当たると電流が生じ、この電流を使ってＩＣチップ１を駆動し、リーダーライター５から送られてくるデータを受信したり、自らのメモリに格納されている情報を無線で送信する。
【０００５】
ＩＣチップ１には、メモリが内蔵されており、このメモリには、通常、書き換えできないシステム領域と、書き換え可能なユーザデータ領域がある（書き換え可能な領域を持たないものもある）。
【０００６】
システム領域の情報は不変なので、偽造やコピーができず、セキュリティに優れている。 ＲＦＩＤでは、数百キロヘルツの長波や、数十メガヘルツの短波、数百メガヘルツのＵＨＦ波、数ギガヘルツのマイクロ波など、様々な周波数が使われており、国によっても若干違う。  周波数によって、交信距離や指向性、通信速度やノイズや電波障害の特性が異なり、利用目的や周囲環境に合わせた選択が必要になる。
【０００７】
ところで、周波数によっても異なるが、特にＵＨＦ帯のＲＦＩＤでは電磁波が金属や水に吸収されてしまうため、リーダーやＩＣタグの近くに金属や水があると、ＩＣタグの情報を読み書きできなくなることがある。
これを解決するためには、邪魔になる物体を取り除くか、影響を受けない特殊なＩＣタグや周波数を利用しなければならなかった。
【０００８】
たとえば特許文献１には、電磁波が人体に吸収されて通信距離が短くならないように、中央部を分厚く形成してＩＣタグを人体から所定の距離だけ離して保持するＲＦ−ＩＤ用リストバンドが開示されている。
【０００９】
しかし、特許文献１に記載のＲＦ−ＩＤ用リストバンドは、全体の厚みが不均一で中央が分厚くなっているのでプリンタで印字記録をするには不適当である。
【００１０】
また、ＲＦ−ＩＤ用リストバンドはそれを装着した者がリーダーライター等にかざしてＩＣタグに読み書きするものであるのに対し、物品等に貼付するＲＦＩＤラベルでは、必ずしも物品をリーダーライター等に近づけることができるとは限らない為、ＩＣタグの取付方法には更なる工夫が必要であった。
【００１１】
【特許文献１】特開２００３−２９６６７５号公報
【発明の開示】
【発明が解決しようとする課題】
【００１２】
本発明は上記従来技術の問題に鑑みなされたものであり、本発明は、ＲＦＩＤラベルが、その貼付対象物である容器等の材質や内容物（金属や水分など）の影響を受けて電磁波が吸収され、通信距離が短くならないように、貼付対象物から所定距離だけ離して取り付けることを目的としている。
【課題を解決するための手段】
【００１３】
上記課題を解決するため、第一の発明であるＲＦＩＤラベルが採用する構成の特徴は、データを記憶するＩＣチップと当該データを電磁波を用いて非接触で送受信するアンテナとが回路基板上に形成されたＩＣタグと、裏面に粘着剤が塗布され、両端が貼付対象物への貼付部、中央が前記ＩＣタグを貼り付けて保持するＩＣタグ保持部およびそれに隣接する印字記録部となった帯状のラベル基材と、前記ラベル基材の各貼付部、ＩＣタグ保持部および印字記録部の境界に形成した折り曲げ部と、前記ラベル基材の裏面に仮着され、粘着剤の塗布面を保護するのと共に、貼付対象物に貼り付けるときに剥離する剥離紙とからなり、貼付対象物に貼付する際には、前記各貼付部をラベル基材の表側に折り返し、ＩＣタグ保持部および印字記録部を向かい合わせに折曲げて貼り合わせ、各貼付部が開いた略Ｔ字型に形成し、貼付対象物の表面からＩＣタグ保持部が立ち上がるように貼付することにある。
【００１４】
ここで、前記折り曲げ部は、ラベル基材に印刷した折り曲げ線、ラベル基材に穿設したミシン目、部分的にラベル基材の幅を狭く加工した狭幅部のいずれか一つまたはこれらの組み合わせから選択するのが好ましい。
【００１５】
また、前記剥離紙には、ラベル基材の少なくとも一つの折り曲げ部に一致させてまたは近傍にミシン目またはスリット（切れ目）を形成するのが好ましい。
【００１６】
一方、本発明にかかるＲＦＩＤラベルの貼付方法の特徴は、データを記憶するＩＣチップと当該データを電磁波を用いて非接触で送受信するアンテナとが回路基板上に形成されたＩＣタグと、裏面に粘着剤が塗布され、両端が貼付対象物への貼付部、中央が前記ＩＣタグを貼り付けて保持するＩＣタグ保持部およびそれに隣接する印字記録部となった帯状のラベル基材と、前記ラベル基材の各貼付部、ＩＣタグ保持部および印字記録部の境界に形成した折り曲げ部と、前記ラベル基材の裏面に仮着され、粘着剤の塗布面を保護するのと共に、貼付対象物に貼り付けるときに剥離する剥離紙とからなるＲＦＩＤラベルを、前記各貼付部をラベル基材の表側に折り返し、ＩＣタグ保持部および印字記録部を向かい合わせに折曲げて貼り合わせ、各貼付部が開いた略Ｔ字型に形成する工程、および、前記ＲＦＩＤラベルを、貼付対象物の表面からＩＣタグ保持部が立ち上がるように貼付すること、または、液体の充填されたビンの液面より上の細首部に貼付または巻き付け貼付すること、または、箱状容器の稜線上に各貼付部が跨るように貼付すること、のいずれかであることにある。
【００１７】
上記ＲＦＩＤラベルの構成によれば、ラベル基材のＩＣタグ保持部と印字記録部とが隣接する別部位なので、ＩＣタグの凹凸や厚みに障害されることなく、プリンタにより印字記録を行うことができる。
【００１８】
また、貼付対象物の表面からＩＣタグ保持部が立ち上がるように貼付けられるので、貼付対象物の材質や内容物の影響を受けないで、ＩＣタグが確実に電磁波を受信できる。
【００１９】
また、前記折り曲げ部を、ラベル基材に穿設したミシン目や部分的にラベル基材の幅を狭く加工した狭幅部で構成すれば、折り曲げる箇所が解りやすく、ずれることもなく容易にラベル基材を折り曲げて、貼り合わせることができる。
【００２０】
一方、前記折り曲げ部を、ラベル基材に印刷した折り曲げ線や部分的にラベル基材の幅を狭く加工した狭幅部で構成すれば、誤ってラベル基材を切り離してしまう危険を回避できる。
【００２１】
そして、前記剥離紙に、ラベル基材の少なくとも一つの折り曲げ部に一致させてまたは近傍にミシン目またはスリット（切れ目）を形成すると、剥離紙の折り曲げ易い部位に沿ってラベル基材を曲げることができ、ラベル基材を折り返して貼り合わせる位置を間違える危険を少なくできる。
【００２２】
さらに、本発明の貼付方法では、液体の充填されたビンの液面より上の細首部に貼付または巻き付け貼付することすることにより、他のビンやＲＦＩＤラベルの邪魔にならず、良好に電磁波を受信できる。
【００２３】
さらに、袋状容器や箱状容器の稜線上に各貼付部が跨るように貼付することでも前記と同様の効果を奏する。
【発明の効果】
【００２４】
本発明によれば、ＩＣタグ保持部の凹凸や厚みに障害されることなく、ＲＦＩＤラベルにプリンタによる印字記録ができる。
【００２５】
また、対象物の材質や内容物の影響を受けないで、ＩＣタグが確実に電磁波を受信できる。  また、折り曲げ部を、ラベル基材に穿設したミシン目や部分的にラベル基材の幅を狭く加工した狭幅部で構成すれば、折り曲げる箇所が解りやすく、ずれることもなく容易にラベル基材を折り曲げて、貼り合わせることができ、折り曲げ部を、ラベル基材に印刷した折り曲げ線や部分的にラベル基材の幅を狭く加工した狭幅部で構成すれば、誤った位置でラベル基材を切り離してしまう危険を回避できる。
【００２６】
そして、剥離紙に、ラベル基材の少なくとも一つの折り曲げ部に一致させてまたは近傍にミシン目またはスリット（切れ目）を形成すると、剥離紙の折り曲げ易い部位に沿ってラベル基材を曲げることができ、ラベル基材を折り返して貼り合わせる位置を間違える危険を少なくでき、同時に、誤ってラベル基材を切り離してしまう危険も回避できる。
【００２７】
そして、本発明の貼付方法では、液体の充填されたビンの液面より上の細首部に貼付または巻き付け貼付することにより、他のビンやＲＦＩＤラベルの邪魔にならず、良好に電磁波を受信でき、箱状容器の稜線上に各貼付部が跨るように貼付することでも同様の効果を奏する。
【発明を実施するための最良の形態】
【００２８】
以下、本発明を実施するための最良の形態を、図１ないし図１３を用いて説明する。
なお、前述した従来技術と同一の構成要素に同一符号を付し、その説明は省略する。
【００２９】
図１中、１０は実施の形態に係るＲＦＩＤラベルの一単位を示し、該ＲＦＩＤラベル１０は紙、プラスチックフィルム、合成紙、不織布などの単一または複合材料からなる帯状のラベル基材１１と、該ラベル基材１１の裏面に塗布された粘着剤１２、前述のＩＣタグ４、表面にシリコーンなどの剥離剤がコーティングされた剥離紙１９から大略構成されている。
【００３０】
前記ラベル基材１１は、伸張方向の両端が貼付対象物への貼付部１３となり、中央が前記ＩＣタグ４を貼り付けて保持するＩＣタグ保持部１４およびそれに隣接する印字記録部１５となっている。図示の例ではＩＣタグ４の裏面に更に粘着材１２が塗布されているが、このＩＣタグ４の裏面の粘着材１２は省略することもできる。
【００３１】
前記ラベル基材１１の各貼付部１３と、ＩＣタグ保持部１４および印字記録部１５の境界には、ラベル基材１１に穿設したミシン目からなる折り曲げ部１７、１８が設けられている。１６は印字記録部１５の表面に印字された文字、記号、バーコードなどの印字記録であり、ＲＦＩＤラベルをプリンタにかけて印字するが、手書きやスタンプによって記録するものであってもよい。また、インキの塗布、転写などによるものでも、自己発色や刻印によるものでもよい。なお、自己発色とする場合は、ラベル基材１１に自己発色層などの構造を予め設けておく必要がある。
【００３２】
１９は、前記ラベル基材１１の裏面の粘着材１２に仮着され、粘着剤１２の塗布面を保護するのと共に、貼付対象物に貼り付けるときに剥離する剥離紙であり、該剥離紙１９の伸張方向一端には、黒インキにより検出マーク（アイマーク）２０が印刷されている。該検出マーク２０は、ＲＦＩＤラベル１０をプリンタにて印字する場合にプリンタ側の光学センサにより位置検出するための目印として用いられる。
【００３３】
ＲＦＩＤラベル１０は、生産・流通過程からプリンタにセットして印字記録されるまで、図２に示すような連続体のロール物２１として取り扱われ、剥離紙１９はプリンタ内ではＲＦＩＤラベルの搬送担体としても用いられる。該剥離紙１９の各検出マーク２０の前または後（図示例では後）には、ＲＦＩＤラベル１０を一枚ごとに切り取るための切取線（ミシン目）２２が形成されている（なお、図２中のＩＣタグ４はラベル基材に覆われて見えないが、透過図として表示している）。
【００３４】
ＲＦＩＤラベル１０は以上の如きもので、次にその使用（貼付）方法について説明する。まず、プリンタなどで印字記録部１５に記録（必要に応じＩＣタグ４にもリーダーライターを用いて記録）したＲＦＩＤラベル１０を切取線２２で一単位ごとに切り取り、剥離紙１９を取り除く。
【００３５】
次いで、前記各貼付部１３を折り曲げ部１７でラベル基材１１の表側に折り返し、ＩＣタグ保持部１４および印字記録部１５を折り曲げ部１８で折曲げて向かい合わせに貼り合わせ、図３、図４に示すような各貼付部１３が開いた略Ｔ字型に形成し、貼付対象物（血液バッグ２３…後述）の表面からＩＣタグ保持部１４が立ち上がるように貼付するものである。
【００３６】
実施の形態における貼付対象物としての血液バッグ２３は、中身が多量の水分を含む血液であるため、単にＲＦＩＤラベル１０を平面的に貼り付けるだけでは、血液バッグ２３に電磁波が吸収されてしまい、ＩＣタグ４とリーダーライターとの通信ができない。また、血液バッグ２３が変形し易い袋状であることから、ＲＦＩＤラベル１０を平面的に貼付しただけでは、ＩＣタグ４のアンテナ１等が断線し易いという欠点もある。一方、血液は採取日時や提供者の氏名、血液型、健康状態や病歴などの採取時に決まる情報の他に、保管履歴などの追加情報も必要なため、記録の追加や変更ができない通常のバーコードラベルでは管理がしにくいという問題があった。
【００３７】
然るに、本実施の形態によれば、ＲＦＩＤラベル１０のＩＣタグ保持部１４と印字記録部１５とがラベル基材１１の隣接する別部位に設けられているので、ＩＣタグ４の凹凸や厚みに障害されることなく、プリンタによりバーコード１６等の印字記録を行うことができる。  また、貼付対象物である血液バッグ２３の表面からＩＣタグ保持部１４が立ち上がるように貼付けられるので、血液バッグ２３の材質や内容物の影響を受けないで、ＩＣタグ４が確実に電磁波を受信でき、血液バッグ２３に追加情報や変更情報を追記し得るようになる。
【００３８】
また、ラベル基材１１の折り曲げ部１７，１８を、ラベル基材１１に穿設したミシン目で構成したから、ラベル基材１１を折り曲げる箇所が解りやすく、貼り合わせる際にずれることもなく貼り合わせることができる。
【００３９】
そして、血液バッグ２３が変形し易いにも関わらず、ＲＦＩＤ保持部１４はラベル基材１１を二重に重ね貼り合わせて補強されているため、ＩＣタグ４のアンテナ２等が断線し難いという長所も具有する。
【００４０】
さらに、ＲＦＩＤラベル１０のバーコード１６をタッチスキャナやペンスキャナで読み取る場合には、図５の如くＲＦＩＤラベル１０を寝かせるように、折り曲げ部１７で折り曲げることも可能である。
【００４１】
次に、他の貼付方法について図６ないし図９を用いて説明する。
図６は血液バッグ２３の縁に、ＲＦＩＤラベル１０の２つに開いた貼付部１３を跨らせるように貼り付けた状態を示す図、図７は図６中の矢示VII−VII方向断面図である。本実施の形態によっても前述したのと同様の作用効果を奏するものの、特に本形態によると、血液バッグ２３を吊したり積み重ねた場合でも、各ＲＦＩＤラベル１０を血液バッグの間から外部に飛び出させることができる。この場合、血液バッグ２３の縁に沿って少しずつずらして貼り付けると、ＲＦＩＤラベル１０、血液バッグ２３共に省スペースな収納ができる上に、確実に各ＲＦＩＤラベル１０のＩＣタグ４と通信できる。
【００４２】
図８は更に他の実施の形態を示し、液体の充填されたビン２４の液面２５より上の細首部２６にＲＦＩＤラベル１０の貼付部１３を貼付または巻き付け貼付することを特徴とする。ビン２４はガラスビンでも陶器・磁器、金属やペットボトルなどでもよい。また、液体は試料や試薬などでもよいし、調味料や酒などでもよい。以上の形態とすることで、ＲＦＩＤラベル１０がビン２４の収納を邪魔することもなく、液体に電磁波が吸収されることもない。また、ビンのキャップ（蓋や栓）２７が金属などであってもＲＦＩＤラベル１０はこれと離れて設置されるので、確実にＩＣタグ４に読込／書き込みができる。
【００４３】
図９は更に他の実施の形態を示し、金属製の缶や水分を多量に含んだ物体（例えば粘土や肉、ゲルなど）を収納した箱状の容器２８に対し、その縁の一辺から立ち上がるように、貼付部１３を跨らせて貼り付けた状態を示す。
以上の構成によっても、前述の形態とほぼ同様の作用効果が得られる。
【００４４】
次に、図１０ないし図１３はＲＦＩＤラベルの折り曲げ部形状についての他の実施形態である。いずれもＲＦＩＤラベルが複数連接するものであるが、２単位のみを図示する。
以下の説明においては、各図の（Ａ）が正面図、（Ｂ）が各正面図（Ａ）中の矢示B−B方向の断面図である。
【００４５】
図１０はＲＦＩＤラベル１０の折り曲げ部１７，１８をミシン目で形成し、各ＲＦＩＤラベル１０同士の境界を剥離紙１９についてはミシン目による切取線またはスリット２２とし、このときラベル基材１１同士の境界はスリットまたはミシン目による切取線とする場合、あるいは剥離紙１９およびラベル基材１１のいずれもミシン目による切取線とした例を示している。即ち、各ＲＦＩＤラベル１０同士の境界は、剥離紙１９同士かラベル基材１１同士の両方またはいずれかがミシン目で繋がっている。そして、この切取線２２には切り取りの為の「はさみ」の目印２９が印刷されている。
【００４６】
図１１はＲＦＩＤラベル１０のラベル基材１１の折り曲げ部１７，１８については図１０と同様であるが、剥離紙１９の、前記折り曲げ部１７（または１８）の位置に一致させてまたは近傍にミシン目またはスリット３０を形成した例である。この場合、各ＲＦＩＤラベル１０単位に切断した後、ラベル基材１１を折り曲げ部１７（１８）で折り曲げる際に剥離紙１９を仮着させたまま行うことが容易となるので、貼付作業時の取り扱いの利便性が格段に向上する。
【００４７】
図１２はＲＦＩＤラベル１０のラベル基材１１の折り曲げ部３１，３２をミシン目ではなく、部分的にラベル基材１１の幅を狭く加工した狭幅部で構成したことを特徴とする他の実施形態であり、図１３は図１２と同様の加工をしたラベル基材１１に対して、剥離紙１９の、前記折り曲げ部３１（または３２）の位置に一致させてまたは近傍にミシン目またはスリット３４を形成した例である。
【００４８】
以上の各例で示したように、折り曲げ部をラベル基材１１に穿設したミシン目や部分的にラベル基材の幅を狭く加工した狭幅部で構成すれば、折り曲げる箇所が解りやすく、ずれることもなく容易にラベル基材１１を折り曲げて、貼り合わせることができる。
【００４９】
また、前記折り曲げ部を、ラベル基材に印刷した折り曲げ線や部分的にラベル基材の幅を狭く加工した狭幅部で構成すれば、誤ってラベル基材を切り離してしまう危険を回避できる。
【００５０】
さらに、剥離紙１９に、ラベル基材１１の少なくとも一つの折り曲げ部に一致させてまたは近傍にミシン目またはスリット（切れ目）を形成すると、剥離紙の折り曲げ易い部位に沿ってラベル基材を曲げることができ、ラベル基材を折り返して貼り合わせる位置を間違える危険を少なくできるのと同時に、誤ってラベル基材を切り離してしまう危険も回避できる。また、ラベル基材１１同士の切り離しや貼り合わせの際に裏面にスリットで分離された剥離紙片が仮着されていると作業の利便性が格段に向上するという効果を奏する。
【図面の簡単な説明】
【００５１】
【図１】本発明の実施の形態に係るＲＦＩＤラベルの一単位を示す（Ａ）平面図、（Ｂ）（Ａ）中の矢示Ｂ−Ｂ方向断面図、（Ｃ）ラベル基材およびＩＣタグの裏面図、である。
【図２】図１のＲＦＩＤラベルを集合体（ロール物）とした状態を示す一部透過の外観斜視図である。
【図３】図１のＲＦＩＤの貼付方法を示す一部透過の外観斜視図である。
【図４】図３中の矢示iV−iV方向の断面図である。
【図５】図３中のＲＦＩＤラベルを寝かすように曲げた状態を示す説明図である。
【図６】図１のＲＦＩＤラベルの他の貼付方法を示す説明図である。
【図７】図６中の矢示Vii−Vii方向断面図である。
【図８】液体入りのビンを貼付対象物とした場合のＲＦＩＤラベルの貼付方法の説明図である。
【図９】箱状容器を貼付対象物とした場合のＲＦＩＤラベルの貼付方法の説明図である。
【図１０】折り曲げ部の変形例を示す図１（Ａ）、（Ｂ）と同様のＲＦＩＤラベルの説明図である。
【図１１】折り曲げ部の変形例を示す図１（Ａ）、（Ｂ）と同様のＲＦＩＤラベルの説明図である。
【図１２】折り曲げ部の変形例を示す図１（Ａ）、（Ｂ）と同様のＲＦＩＤラベルの説明図である。
【図１３】折り曲げ部の変形例を示す図１（Ａ）、（Ｂ）と同様のＲＦＩＤラベルの説明図である。
【図１４】ＲＦＩＤの原理を説明するための説明図である。
【符号の説明】
【００５２】
１…ＩＣチップ、２…アンテナ、４…ＩＣタグ、１０…ＲＦＩＤラベル、１１…ラベル基材、１２…粘着剤、１３…貼付部、１４…ＲＦＩＤ保持部、１５…印字記録部、１６…バーコード、１７，１８，３１，３２…折り曲げ部、１９…剥離紙、２０…検出マーク、２２…切取線、２３…血液バッグ、２４…ビン、２８…箱状容器、３０…ミシン目（またはスリット）、３１，３２…狭幅部
【図１】
2006277524.tif 000003
【図２】
2006277524.tif 000004
【図３】
2006277524.tif 000005
【図４】
2006277524.tif 000006
【図５】
2006277524.tif 000007
【図６】
2006277524.tif 000008
【図７】
2006277524.tif 000009
【図８】
2006277524.tif 000010
【図９】
2006277524.tif 000011
【図１０】
2006277524.tif 000012
【図１１】
2006277524.tif 000013
【図１２】
2006277524.tif 000014
【図１３】
2006277524.tif 000015
【図１４】
2006277524.tif 000016